(57)【特許請求の範囲】
【請求項１】
本体に設けられた加熱部と、前記加熱部上方に配置され被調理物を加熱するための金属製の調理プレートと、前記調理プレートの側面を包囲するように前記本体上に置かれた樹脂製のガードと、前記調理プレート上に配置される蓋と、を備えた電気調理器を収納する電気調理器用収納ケースであって、前記電気調理器を、前記被調理物が加熱される状態から略９０°回転させた状態で下方に移動することで収納できる凹形状の収納部を設けるとともに、
前記被調理物が加熱される状態において、前記ガードは前記本体上面に載置され、前記本体は上面に、前記ガードと係合し、前記本体には、前記ガードの水平方向へのずれを規制する本体係合部を有し、前記本体係合部の上端が、前記ガードの下端よりも高くなっているとともに、
前記被調理物が加熱される状態において、前記調理プレートには、耐熱性樹脂からなる把手を有し、前記ガードは前記把手と係合し、前記ガードには、前記調理プレートの水平方向へのずれを規制する前記把手と係合するガード係合部を有し、前記ガード係合部の上端が、前記把手の下端よりも高くなっているとともに、
前記被調理物が加熱される状態において、前記把手の上端は前記調理プレートの上端および前記ガードの上端以上の高さであって、蓋の上端は前記把手の上端より高いものであって、
前記収納部には、前記本体、前記調理プレート、及び前記ガードが収納される第１凹部と、前記蓋が収納される第２凹部と、を有し、前記第２凹部の、前記本体の高さ方向に対応する幅は、前記被調理物が加熱される状態における前記蓋の上端と前記把手の上端の高さの差よりも広くなっている電気調理器用収納ケース。
【請求項２】
前記調理プレートは底面に磁性体を有し、前記電気調理器は誘導加熱調理器である請求項１に記載の電気調理器用収納ケース。
【発明の詳細な説明】
【技術分野】
【０００１】
本発明は、電気調理器用収納ケースに関するものである。
【背景技術】
【０００２】
従来、この種の電気調理器用収納ケースは、合成樹脂材で殻状に形成した一対の身容器と蓋とで構成し、身容器の内部に電気調理器を収納して蓋をロックするロック手段を設け、身容器と蓋とで構成するケースの一部に把手を、一部に脚部を形成したものが知られている（例えば、特許文献１）。
【０００３】
図９、図１０は特許文献１に示された従来の電気調理器用収納ケースの図を示すものである。
【０００４】
図９に示すように、電気調理器用収納ケースは、電気調理器１００を収納する際に、まず身容器１０１に電気調理器１００を収納し、蓋１０２をした後、電気調理器１００が倒れないよう身容器１０１と蓋１０２をロックし、その後、図１０に示すように脚部１０６により収納して立てておく構成となっている。
【先行技術文献】
【特許文献】
【０００５】
【特許文献１】特開２００１−１０６９２号公報
【発明の概要】
【発明が解決しようとする課題】
【０００６】
しかしながら、前記従来の構成では、収納する際のスペースを少なくするために電気調理器を立てて収納する場合、電気調理器を収納した後、蓋をし、ロックをした後、電気調理器が収納された電気調理器用収納ケースを立てるため手間がかかるという課題を有していた。
【０００７】
本発明は、前記従来の課題を解決するもので、電気調理器を立てて収納する際の手間を簡素化することにより、電気調理器用収納ケースの使い勝手を向上することを目的とする。
【課題を解決するための手段】
【０００８】
前記従来の課題を解決するために、本発明の電気調理器用収納ケースは、本体に設けられた加熱部と、前記加熱部上方に配置され被調理物を加熱するための金属製の調理プレートと、前記調理プレートの側面を包囲するように前記本体上に置かれた樹脂製のガードと、前記調理プレート上に配置される蓋と、を備えた電気調理器を収納する電気調理器用収納ケースであって、前記電気調理器を、前記被調理物が加熱される状態から略９０°回転させた状態で下方に移動することで収納できる凹形状の収納部を設けるとともに、前記被調理物が加熱される状態において、前記ガードは前記本体上面に載置され、前記本体は上面に、前記ガードと係合し、前記本体には、前記ガードの水平方向へのずれを規制する本体係合部を有し、前記本体係合部の上端が、前記ガードの下端よりも高くなっているとともに、前記被調理物が加熱される状態において、前記調理プレートには、耐熱性樹脂からなる把手を有し、前記ガードは前記把手と係合し、前記ガードには、前記調理プレートの水平方向へのずれを規制する前記把手と係合するガード係合部を有し、前記ガード係合部の上端が、前記把手の下端よりも高くなっているとともに、前記被調理物が加熱される状態において、前記把手の上端は前記調理プレートの上端および前記ガードの上端以上の高さであって、蓋の上端は前記把手の上端より高いものであって、前記収納部には、前記本体、前記調理プレート、及び前記ガードが収納される第１凹部と、前記蓋が収納される第２凹部と、を有し、前記第２凹部の、前記本体の高さ方向に対応する幅は、前記被調理物が加熱される状態における前記蓋の上端と前記把手の上端の高さの差よりも広くなっている構成とした。
【０００９】
これによって、電気調理器を、被調理物が加熱される状態から略９０°回転させて下方に移動するだけで電気調理器用収納ケースに収納でき、また取り出す際も上方に移動するだけで電気調理器を取り出すことができる。また、電気調理器を電気調理器用収納ケースに収納した際に、蓋の上端よりも先に把手の上端が電気調理器用収納ケースに接触するた
め、電気調理器の重さによる応力が蓋にかかることを抑制できるため、蓋が傷ついたり、へこんでしまうことを抑制することができる。
【発明の効果】
【００１０】
本発明の電気調理器用収納ケースは、電気調理器を立てて収納する際の手間を簡素化することができ、電気調理器用収納ケースの使い勝手を向上することができる。また、電気調理器を電気調理器用収納ケースに収納した際に、蓋の上端よりも先に把手の上端が電気調理器用収納ケースに接触するため、電気調理器の重さによる応力が蓋にかかることを抑制できるため、蓋が傷ついたり、へこんでしまうことを抑制することができる。
【図面の簡単な説明】
【００１１】
【図１】本発明における第１の実施の形態における電気調理器および電気調理器用収納ケースの斜視図
【図２】本発明の実施の形態１における電気調理器用収納ケースの電気調理器の斜視図
【図３】本発明の実施の形態２における電気調理器用収納ケースの電気調理器の本体とガードの斜視図
【図４】本発明の実施の形態２における電気調理器用収納ケースの電気調理器の本体とガードを立てたときの断面図
【図５】本発明の実施の形態３における電気調理器用収納ケースの電気調理器のガードと調理プレートの斜視図
【図６】本発明の実施の形態３における電気調理器用収納ケースの電気調理器のガードと調理プレートを立てた時の側面図
【図７】本発明の実施の形態４における電気調理器用収納ケースの電気調理器および電気調理器用収納ケースの斜視図
【図８】本発明の実施の形態４における電気調理器用収納ケースの電気調理器および電気調理器用収納ケースの上面図
【図９】従来の電気調理器用収納ケースの図
【図１０】従来の電気調理器用収納ケースを立てて置いた状態の図
【発明を実施するための形態】
【００１４】
第１の発明は、本体に設けられた加熱部と、前記加熱部上方に配置され被調理物を加熱するための金属製の調理プレートと、前記調理プレートの側面を包囲するように前記本体上に置かれた樹脂製のガードと、前記調理プレート上に配置される蓋と、を備えた電気調理器を収納する電気調理器用収納ケースであって、前記電気調理器を、前記被調理物が加熱される状態から略９０°回転させた状態で下方に移動することで収納できる凹形状の収納部を設けるとともに、前記被調理物が加熱される状態において、前記ガードは前記本体上面に載置され、前記本体は上面に、前記ガードと係合し、前記本体には、前記ガードの水平方向へのずれを規制する本体係合部を有し、前記本体係合部の上端が、前記ガードの下端よりも高くなっているとともに、前記被調理物が加熱される状態において、前記調理プレートには、耐熱性樹脂からなる把手を有し、前記ガードは前記把手と係合し、前記ガードには、前記調理プレートの水平方向へのずれを規制する前記把手と係合するガード係合部を有し、前記ガード係合部の上端が、前記把手の下端よりも高くなっているとともに、前記被調理物が加熱される状態において、前記把手の上端は前記調理プレートの上端および前記ガードの上端以上の高さであって、蓋の上端は前記把手の上端より高いものであって、前記収納部には、前記本体、前記調理プレート、及び前記ガードが収納される第１凹部と、前記蓋が収納される第２凹部と、を有し、前記第２凹部の、前記本体の高さ方向に対応する幅は、前記被調理物が加熱される状態における前記蓋の上端と前記把手の上端の高さの差よりも広くなっている構成としたものである。
【００１５】
これにより、電気調理器を電気調理器用収納ケースに収納する際、および電気調理器用収納ケースから取り出す際に、本体とガードが係合しており、本体とガードが一体となって電気調理器用収納ケースに出し入れすることができ、電気調理器を立てて収納する際および取り出す際により容易に出し入れすることができるため、電気調理器用収納ケースの使い勝手を向上することができる。
【００１７】
これにより、電気調理器を電気調理器用収納ケースに収納する際、および電気調理器用
収納ケースから取り出す際に、ガードと把手が係合しており、ガードと調理プレートが一体となって電気調理器用収納ケースに出し入れすることができ、電気調理器を立てて収納する際および取り出す際により容易に出し入れすることができるため、電気調理器用収納ケースの使い勝手を向上することができる。
【００１９】
これにより、電気調理器を電気調理器用収納ケースに収納した際に、蓋の上端よりも先に把手の上端が電気調理器用収納ケースに接触するため、電気調理器の重さによる応力が蓋にかかることを抑制できるため、蓋が傷ついたり、へこんでしまうことを抑制することができる。
【００２０】
第２の発明は、特に、第１の発明の調理プレートは底面に磁性体を有し、電気調理器は誘導加熱調理器である構成としたものである。
【００２１】
これにより、電気調理器が誘導加熱調理器であっても、立てて収納する際の手間を簡素化することができ、電気調理器用収納ケースの使い勝手を向上することができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における電気調理器および電気調理器用収納ケースの斜視図、図２は本発明の実施の形態１における電気調理器用収納ケースの電気調理器の斜視図を示す。
【００２４】
図２において、電気調理器は、本体１の内部に加熱部２を備え、電源を供給し加熱部２を制御する制御部３と、加熱部２と制御部３および本体１内部を冷却する冷却ファン４を備えている。
【００２５】
本体１は上面に、例えばガラスのような、耐熱性の絶縁材からなる天板５を備えている。電気調理器は天板５に載置され被調理物を加熱するための金属製の調理プレート６を加熱部２により加熱し、これにより被調理物を加熱し調理する構造となっている。
【００２６】
また、電気調理器は調理プレート６上に配置される蓋７を備えており、さらに加熱された調理プレート６に使用者が触れてしまいやけどすることを防ぐために、調理プレート６の側面を包囲するように本体１上に置かれた樹脂製のガード８を備えている。
【００２７】
図１において、電気調理器用収納ケースには凹形状の収納部９が設けられており、電気調理器を、被調理物が加熱される状態から略９０°回転させた状態で、立てて下方に移動することで収納できる構成としている。
【００２８】
従来の電気調理器用収納ケースは、電気調理器を収納する際に、まず身容器に電気調理器を収納し、蓋７をした後、電気調理器が倒れないよう蓋７と身容器をロックし、その後脚部により収納して立てておく構成となっている。
【００２９】
このため、従来の構成の電気調理器用収納ケースは、収納する際のスペースを少なくするために、電気調理器を立てて収納する場合、電気調理器を収納した後、蓋７をし、ロックをした後、たてるため手間がかかるという問題があった。
【００３０】
本実施の形態の電気調理器用収納ケースは、電気調理器を被調理物が加熱される状態から略９０°回転させて下方に移動するだけで電気調理器用収納ケースに収納でき、また取り出す際も上方に移動するだけで電気調理器を取り出すことができる。
【００３１】
このため電気調理器を立てて収納する際の手間を簡素化することができ、電気調理器用収納ケースの使い勝手を向上することができる。
【００３２】
（実施の形態２）
図３は、本発明の第２の実施の形態における電気調理器用収納ケースの本体１とガード８の斜視図、図４は本発明の第２の実施の形態における電気調理器用収納ケースの電気調理器の本体１とガード８を立てたときの断面図を示す。
【００３３】
図３において、天板５の周縁部を本体係合部２１とし、本体係合部２１とガード８の内側が係合し、ガード８の水平方向へのずれを規制する構造とする。この構成により、電気調理器で調理を行う際のガード８の位置決めを行うことができる。
【００３４】
さらに、本体係合部２１の上端が、ガード８の下端よりも高くなっている構成とすることにより、図４のように、本体係合部２１とガード８が引っかかるため、電気調理器を、被調理物が加熱される状態から略９０°回転させた状態で、電気調理器用収納ケースに収納したり、取り出したりする際に、本体１とガード８が一体となって出し入れすることができる。
【００３５】
例えば、取り出す際に本体１を上方に移動させれば、本体係合部２１がガード８と引っかかるため、ガード８も上方に移動する。これにより、電気調理器を立てて収納する際および取り出す際により容易に出し入れすることができるため、電気調理器用収納ケースの使い勝手を向上することができる。
【００３６】
（実施の形態３）
図５は、本発明の第３の実施の形態における電気調理器用収納ケースの電気調理器のガード８と調理プレート６の斜視図、図６は本発明の第３の実施の形態における電気調理器用収納ケースの電気調理器のガード８と調理プレート６を立てた時の側面図を示す。
【００３７】
図５において、調理プレート６は、耐熱性樹脂からなる把手３１を備え、ガード８にガード係合部３２を設け、ガード係合部３２と調理プレート６の把手３１が係合し、調理プレート６の水平方向へのずれを規制する構造とする。この構成により、電気調理器で調理を行う際の調理プレート６の位置決めを行うことができる。
【００３８】
さらに、ガード係合部３２の上端が、把手３１の下端よりも高くなっている構成とすることにより、図６のように、ガード係合部３２と把手３１が引っかかるため、電気調理器を、被調理物が加熱される状態から略９０°回転させた状態で、電気調理器用収納ケースに収納したり、取り出したりする際に、ガード８と調理プレート６が一体となって出し入れすることができる。
【００３９】
例えば、取り出す際にガード８を上方に移動させれば、ガード係合部３２が把手３１と引っかかるため、調理プレート６も上方に移動する。これにより、電気調理器を立てて収納する際および取り出す際により容易に出し入れすることができるため、電気調理器用収
納ケースの使い勝手を向上することができる。
【００４０】
また、前記の実施の形態２の構成と組み合わせることで、本体係合部２１により本体係合部２１とガード８が引っかかり、ガード係合部３２によりガード係合部３２が把手３１と引っかかるため、電気調理器を、被調理物が加熱される状態から略９０°回転させた状態で、電気調理器用収納ケースに収納したり、取り出したりする際に、本体１とガード８および調理プレート６が一体となって出し入れすることができる。
【００４１】
これにより、電気調理器を立てて収納する際および取り出す際により容易に出し入れすることができるため、電気調理器用収納ケースの使い勝手をさらに向上することができる。
【００４２】
（実施の形態４）
図７は、本発明の第４の実施の形態における電気調理器および電気調理器用収納ケースの斜視図、図８は本発明の第４の実施の形態における電気調理器用収納ケースの電気調理器および電気調理器用収納ケースの上面図を示す。
【００４３】
図７において、把手３１の上端は調理プレート６の上端およびガード８の上端以上の高さとし、蓋７の上端は把手３１の上端より高い構成とする。電気調理器用収納ケースの収納部９は、本体１と調理プレート６とガード８が収納される第１凹部４１と蓋７が収納される第２凹部４２を備えており、第２凹部４２の本体１の高さ方向に対応する幅ａ  ４３は、蓋７の上端と把手３１の上端の高さの差ｂ  ４４よりも広くなっている構成としたものである。
【００４４】
この構成において、電気調理器を電気調理器用収納ケースに収納した際に、把手３１の上端が調理プレート６の上端およびガード８の上端以上の高さとなっているため、電気調理器が電気調理器用収納ケースの収納部９内でガタついた際に、把手３１の上端が第１凹部４１に先あたりする構造となっている。
【００４５】
さらに、第２凹部４２の本体１の高さ方向に対応する幅ａ  ４３を、蓋７の上端と把手３１の上端の高さの差ｂ  ４４よりも広くすることにより、電気調理器が電気調理器用収納ケースの収納部９内でガタついた際に、蓋７の上端が第２凹部４２に接触するよりも先に、把手３１の上端が第１凹部４１に接触する構造となっており、本体１、調理プレート６およびガード８の重さによる応力は把手３１の上端と第１凹部４１の接触面にかかる構造となっている。
【００４６】
蓋７にかかる応力は、蓋７の重さによる応力が、把手３１の上端と第１凹部４１の接触面にかかる程度である。電気調理器において、本体１は加熱部２と制御部３および冷却ファン４を備えているため重量が重く、また、調理プレート６は金属製であるため重量が重い。
【００４７】
このため、本体１および調理プレート６の重量をあわせると１ｋｇを越え、本体１の内部構成や調理プレート６の大きさによっては５ｋｇ程度になる。しかし、蓋７は板金で構成されることが多く、重量も軽く、多くの場合は１ｋｇ以下である。
【００４８】
電気調理器の本体１や調理プレート６の重さによる応力が蓋７にかかると、上記のように蓋７は板金で構成されることが多いため、蓋７がへこんだり、傷つく可能性が高くなる。
【００４９】
本実施の形態にすることにより、電気調理器を電気調理器用収納ケースに収納した際に
、蓋７の上端よりも先に把手３１の上端が電気調理器用収納ケースに接触するため、電気調理器の重さによる応力が蓋７にかかることを抑制できるため、蓋７が傷ついたり、へこんでしまうことを抑制することができる。
【００５０】
（実施の形態５）
本実施の形態における調理プレート６は底面に磁性体を有し、電気調理器は誘導加熱調理器である構成としたものである。これにより、上記に記載の実施の形態１から４の構成を用いることで、電気調理器が誘導加熱調理器であっても、立てて収納する際の手間を簡素化することができ、電気調理器用収納ケースの使い勝手を向上することができる。
【００５１】
誘導加熱調理器において、本体１は上面に、例えばガラスのような、耐熱性の絶縁材からなる天板５を備えていることが多く、電気ヒーターを用いた加熱調理器に比べ、手入れ、清掃をしやすいという利点があるが、上面が、平面であり凹凸がないため調理プレート６が水平方向に移動しやすいという点がある。そのため、特に誘導加熱調理器を立てて収納する場合は、垂直にした場合に本体１と調理プレート６がバラバラになりやすい。
【００５２】
しかし、上記に記載の構成を用いることにより、誘導加熱調理器においても、立てて収納する際に引っ掛かりができ、バラバラになりにくく一体となって電気調理器用収納ケースから出し入れできるため、手間を簡素化することができ、電気調理器用収納ケースの使い勝手を向上することができる。
【産業上の利用可能性】
【００５３】
以上のように、本発明にかかる電気調理器用収納ケースは、電気調理器を、被調理物が加熱される状態から略９０°回転させて下方に移動するだけで電気調理器用収納ケースに収納でき、また取り出す際も上方に移動するだけで電気調理器を取り出すことが可能となり、電気調理器を立てて収納する際の手間を簡素化により、電気調理器用収納ケースの使い勝手を向上することができるので、調理機器の用途に有効である。
【符号の説明】
【００５４】
１  本体
２  加熱部
３  制御部
４  冷却ファン
５  天板
６  調理プレート
７  蓋
８  ガード
９  収納部
２１  本体係合部
３１  把手
３２  ガード係合部
４１  第１凹部
４２  第２凹部
４３  幅ａ
４４  高さの差ｂ
【図１】
0005671690.tif 000002
【図２】
0005671690.tif 000003
【図３】
0005671690.tif 000004
【図４】
0005671690.tif 000005
【図５】
0005671690.tif 000006
【図６】
0005671690.tif 000007
【図７】
0005671690.tif 000008
【図８】
0005671690.tif 000009
【図９】
0005671690.tif 000010
【図１０】
0005671690.tif 000011